(57)【特許請求の範囲】
【請求項１】
方形の底部材と、該底部材の前端部及び後端部に設けた前部材及び後部材と、前記底部材の両側端部に設けた側部材を有し、
前記各側部材は、前記底部材及び前部材と連結した第１側部材と、前記底部材及び後部材と連結した第２側部材とで分割して構成され、かつ、前記第１側部材の後方下部と前記第２側部材の前方下部とが重なり部において重なりあるようにして設けられ、前記重なり部は、下方ほど広くなるように形成し、
前記各部材の上端部には、開閉用の開閉紐が挿通されていることを特徴とする袋。
【請求項２】
前記重なり部の形状が、三角形状であることを特徴とする請求項１記載の袋。
【請求項３】
前記第１側部材の上端縁を、前部から後部に向うにつれて下方に傾斜するように形成し、前記第２側部材の上端縁を、後部から前部に向うにつれて下方に傾斜するように形成したことを特徴とする請求項１又は２記載の袋。
【請求項４】
前記前部材及び後部材の上端縁を、夫々の両側部から中央部に向うにつれて下方に傾斜するように形成したことを特徴とする請求項１又は２又は３記載の袋。
【発明の詳細な説明】
【技術分野】
【０００１】
本発明は、袋に関するもので、詳しくは、包装用袋又は収納用袋として用いることができる袋に関するものである。
【背景技術】
【０００２】
従来、おせち料理等を詰めた重箱を包装する方法として、風呂敷で包むことが一般的である。しかし、近年、重箱を風呂敷で上手に包装できる者が少なく、風呂敷に変わるものとして、例えば、図７に示すような袋１００が用いられている。
【０００３】
この袋１００は、例えば、布で形成され、方形の底布１０１と、該底布１０１の側部全周に亘って一体に形成された側布１０２と、側布１０２の上端部に挿通された開閉紐１０３とで構成され、袋１００の上方のみが開口している。そして、重箱を袋１００内に入れた後に、開閉紐１０３を左右に引いて、巾着状に閉口するようになっている。
【発明の開示】
【発明が解決しようとする課題】
【０００４】
前記袋１００の全周の側布は、一連に形成されているため、収納される重箱と側部材間の隙間が大きくなると、重箱を袋１００で包んだ際に、袋１００が弛でしまい、外観上の見栄えが悪くなる。そのため、収納される重箱と側部材間の隙間が、小さくなるように側布が形成されている。
【０００５】
このように、重箱と側部材間の隙間が小さいと、袋１００内に重箱を収納する際に、袋１００が開口する部位は上部のみで、かつ、その開口部の幅も重箱の底面の幅と略同一であるため、袋１００内に重箱を収納することが困難であり、収納するのに時間がかかるという問題がある。
【０００６】
そのため、年末等において、熟練を要しない者が、多量の重箱を早く袋に収納できる袋が要望されている。
【０００７】
そこで、本発明は、重箱、ケーキ収納箱、おかし収納缶等の函体を容易に収納等できる袋を提供することを目的とするものである。
【課題を解決するための手段】
【０００８】
前記の課題を解決するために、請求項１記載の発明は、方形の底部材と、該底部材の前端部及び後端部に設けた前部材及び後部材と、前記底部材の両側端部に設けた側部材を有し、
前記各側部材は、前記底部材及び前部材と連結した第１側部材と、前記底部材及び後部材と連結した第２側部材とで分割して構成され、かつ、前記第１側部材の後方下部と前記第２側部材の前方下部とが重なり部において重なりあるようにして設けられ、前記重なり部は、下方ほど広くなるように形成し、
前記各部材の上端部には、開閉用の開閉紐が挿通されていることを特徴とするものである。
【０００９】
請求項２記載の発明は、請求項１記載の発明において、前記重なり部の形状が、三角形状であることを特徴とするものである。
【００１０】
請求項３記載の発明は、請求項１又は２記載の発明において、前記第１側部材の上端縁を、前部から後部に向うにつれて下方に傾斜するように形成し、前記第２側部材の上端縁を、後部から前部に向うにつれて下方に傾斜するように形成したことを特徴とするものである。
【００１１】
請求項４記載の発明は、請求項１又は２又は３記載の発明において、前記前部材及び後部材の上端縁を、夫々の両側部から中央部に向うにつれて下方に傾斜するように形成したことを特徴とするものである。
【発明の効果】
【００１２】
本発明によれば、袋の両側部材が、第１側部材と第２側部材の分割された２つの部材で構成されているため、前部材及び後部材を前後方向に、また、両側部材も外側へ、従来の袋よりも開くことができ、開口部を大きく（広く）開けることができる。これにより、函体を持つ手を容易に袋内で、かつ、底部材の近傍にまで容易に挿通することができ、函体を底部材の所定の位置に容易に置くことができ、かつ、その後に開閉紐を引き締めることにより、熟練を要することなく容易に函体を袋内に収納、若しくは袋で包装することができる。
【００１３】
また、第１側部材と第２側部材との重なり部を、上方が狭く、下方が広くなうように形成したことにより、袋１の開口部を閉口させる際に、第１側部材と第２側部材との重ね合わせを容易に行うことができ、函体を底部材に載置した後に、容易に函体を袋で覆い、収納・包装することができる。
【００１４】
請求項３、４記載の発明によれば、更に、函体を袋内に収納し、袋の開口部を巾着状に閉口する場合に、前部材や後部材及び両側部材の中央部が他の部分より多く引かれ、各部材等の弛みを少なくし、第１側部材と第２側部材間の開きを狭く抑え、収納・包装時の見栄えを良くすることができる。
【発明を実施するための最良の形態】
【００１５】
本発明を実施するための最良の形態を図１乃至図６に基づいて説明する。
図１は、本発明の袋１の斜視図で、該袋１は、重箱やケーキ収納箱やおかし収納缶等の函体を包装する包装用袋、又は函体を収納する収納袋として用いることができるものである。
【００１６】
以下の実施例において、図１及び図３におけるＡを前側、Ｂを後側として説明する。
前記袋１は、図１に示すように、上面形状が正方形又は長方形に形成された底部材２を有している。該底部材２の形状（大きさ）は、収納する函体の底面形状より若干大きく形成されている。該底部材２の前端縁には前部材３が、後端縁には、後部材４が、夫々の下端縁を縫合して設けられている。
【００１７】
前記前部材３の両側縁には、第１側部材５、５が設けられ、該前部材３と第１側部材５、５は一体に形成され、該第１側部材５の下端部は、図１、３、４に示すように、前記底部材２の両側縁において、その前後方向の中央よりも後方に至る部分まで縫合されている。
【００１８】
前記後部材４の両側縁には、第２側部材６、６が設けられ、該後部材３と第２側部材６、６は一体に形成され、該第２側部材６の下端部は、図１、３、４に示すように、前記底部材２の両側縁において、その前後方向の中央よりも前方に至る部分まで縫合されている。
【００１９】
また、前記第１側部材５の後端縁５ａと第２側部材６の前端縁６ａとは、図１、３に示すように、相互に連結されておらず、本実施例１の袋１の側部材は、分割された２つの第１側部材５と第２側部材６により形成されている。また、第１側部材５の後端縁５ａは、その下端部より上方に至るにつれて前方へ傾斜し、第２側部材６の前端縁６ａは、その下端部より上方に至るにつれて後方へ傾斜している。
【００２０】
また、前記第１側部材５と第２側部材６とは、いずれか一方が外部に位置し、かつ、その一部が重なり合うように配設されている。本実施例においては、図３、４に示すように、第１側部材５を内側に、第２側部材６を外側に配設した。
【００２１】
前記第１側部材５の後方下部５ｃと、第２側部材６の前方下部６ｃとは、図１、３に示すように、重なりあい、重なり部８を形成している。重なり部８の形状は、図３に示すように、上方ほど狭く、下方ほど広くなるように形成されている。この重なり部８の形状は、任意の形状に設定することができるが、本実施例においては三角形状とし、この三角形の頂点は、図３に示すように、袋１内に収納した重箱等の函体９の左右における最上部の近傍に位置するように形成することが望ましい。
【００２２】
また、第１側部材５の上部後端縁５ｂと、第２側部材６の上部前端縁６ｂとは、図３に示すように、前後、両側の各部材を垂直に立てた場合、すなわち、袋１を図１に示すような直方体形状にした場合に、相互に近接するように、もしくは、略接するように形成されている。
【００２３】
前記前部材３、後部材４、第１側部材５、第２側部材６の上端部には、紐通し部１０が設けられ、前部材３と両第１側部材５、５の紐通し部１０は連通して形成され、後部材４と両第２側部材６、６の紐通し部１０は連通して形成されている。
【００２４】
前記前部材３及び後部材４の上端縁である紐通し部１０の上端縁は、袋１を図１に示すような直方体形状とした場合に、その両側の角部が最も高く、中央部に向うにつれて徐々に低くなるように傾斜して形成され、すなわち、夫々の両側部から中央部向うにつれて下方に傾斜するように形成されていている。
【００２５】
前記第１側部材５の上端縁である紐通し部１０の上端縁は、袋１を図１に示すような直方体形状とした場合に、その上部角部が最も高く、後部Ｂに向うにつれて徐々に低くなるように傾斜して形成され、すなわち、前部Ａから後部Ｂに向うにつれて下方に傾斜するように形成されていている。
【００２６】
また、前記第２側部材６の上端縁である紐通し部１０の上端縁は、袋１を図１に示すような直方体形状とした場合に、その上部角部が最も高く、前部Ａに向うにつれて徐々に低くなるように傾斜して形成され、すなわち、後部Ｂから前部Ａに向うにつれて下方に傾斜するように形成されていている。
【００２７】
また、袋１内に函体１５を収納した際における、函体１５の上面角部から前部材３若しくは後部材４の左右端部（袋１の上部角部）までの距離Ｌ１は、函体１５の上面角部から、函体１５の上面中心部までの距離と同等かそれよりも若干大きくなるになるように設定されている。
【００２８】
前記紐通し部１０内には、２本の開閉紐１２が挿通され、該開閉紐１２により、各部材３、４、５、６の上端縁により形成される開口部１４を巾着状に開閉できるようになっている。
【００２９】
開閉紐１２を緩め、開口部１４を開口すると、図１に示すような、開口部１４が方形状となり、更に、前部材３及び後部材４を前後に開けると、図５に示すように、開口部１４を大きく（広く）することができるようになっている。
【００３０】
また、２本の開閉紐１２を相互に反対方向の左右に引っ張ることにより、開口部１４を、図６に示すように、巾着状に閉口することができるようになっている。
【００３１】
前記底部材２、前部材３、後部材４、第１側部材５、第２側部材６は、任意の部位で曲折可能な軟らかい部材、例えば、布や紙で形成され、本実施例においては、ポリプロピレン繊維で形成された不織布を用いた。
【００３２】
次に、袋１内への重箱等の函体の収納（包装）方法を説明する。
先ず、袋１を、底部材２を下部になるように配置した後に、開閉紐１２を緩め、図５に示すように、前部材３を前方Ａに、後部材４を後方Ｂに大きく開く。
【００３３】
更に、袋１は、上記のように両側部を、２つの分割された第１側部材５と第２側部材６で構成したことにより、該両側部５、６も外方へ開くこともでき、従来の袋と比較して、袋１を底部材２の近傍近くまで開口することができるため、袋１の開口部を大きく（広く）することができる。
【００３４】
次に、袋１内の底部材２上に、図５の破線で示すように、函体１５を配置する。このとき、袋１の開口部を大きくすることができるため、従来の袋とは異なり、函体１５を持つ手を容易に袋１内で、かつ、底部材２の近傍にまで容易に挿通することができるため、函体１５を所定の位置に容易に載置することができる。
【００３５】
次に、前部材３及び後部材４を、図３に示すように、上方に引き上げて函体１５の側周部全体を袋１で包む。このとき、第１側部材５の後方下部５ｃと第２側部材６の前方下部６ｃとが相互に重合されているため、これらの部材５、６を持ち上げるのみで、容易に重合状態になる。
【００３６】
次に、開閉紐１２を左右に引くことにより開口部１４を巾着状に絞め、その開閉紐１２を結んで、函体１を袋１内に収納、若しくは、袋１で包装する。
【００３７】
このとき、袋１を図１に示すような直方体形状とした場合に、前部材３及び後部材４の上端縁の中央部を左右よりも低くし、第１側部材５の上端縁を後部ほど低く、第２側部材６を前部ほど低く形成したことにより、袋１内に函体１５を収納して開口部を巾着状に絞めた時に、函体１５の上面中心方向に、前部材３、後部材４の上端縁の中央部がその左右（角部）よりも引張られ、同様に両側部材５、６の上端縁の中央側端部が前後（角部）よりも多く引張られる。これにより、袋１内に函体１５を収納した際に、前部材３、後部材４、第１側部材５、第２側部材６にたるみが生じにくく、第１側部材５と第２側部材６間の間に隙間が生じることを抑え、函体１５の収納時の見栄えを良くすることができる。また、袋１の側部材を分割された２つの部材で形成したとしても、側部材５、６間に隙間が生じにくく、内容物が汚れることを抑えることができる。
【００３８】
また、第１側部材５と第２側部材６との重なり部８を、下方ほど広く形成したことにより、袋１の側面強度を高くし、また、重なり部８を上方ほど狭くしたことにより、第１側部材５と第２側部材６との重ね合わせを容易に行うことができる。
【図面の簡単な説明】
【００３９】
【図１】本発明における実施例の袋を示す斜視図。
【図２】図１の前面図で、開閉紐は省略してある。
【図３】図１の側面図で、開閉紐は省略してある。
【図４】図２のＣ−Ｃ線断面図。
【図５】図１の袋の上部を側方に開き、内容物を収納した状態を示す斜視図。
【図６】図１の袋に内容物を収納した状態の斜視図。
【図７】従来技術の袋を示す斜視図。
【符号の説明】
【００４０】
１  袋
２  底部材
３  前部材
４  後部材
５  第１側部材
５ｃ  第１側部材の後方下部
６  第２側部材
６ｃ  第２側部材の前方下部
８  重なり部
１２  開閉紐
【図１】
0004949170.tif 000002
【図２】
0004949170.tif 000003
【図３】
0004949170.tif 000004
【図４】
0004949170.tif 000005
【図５】
0004949170.tif 000006
【図６】
0004949170.tif 000007
【図７】
0004949170.tif 000008